(57)【要約】【課題】購入者が携帯電話機で、手間なく購入情報を受け取ることができる通信システム等を提供すること。【解決手段】購入者が購入時に購入情報を赤外線通信により携帯電話機で受け取り、携帯電話機から購入情報を購入情報データベースに登録し、購入情報データベースにより購入の履歴管理および広告対象管理を行う。【選択図】図１
2011141820.tif 000002
【特許請求の範囲】
【請求項１】
購入者が購入時に購入情報を赤外線通信により携帯電話機で受け取り、該携帯電話機から前記購入情報を購入情報データベースに登録し、該購入情報データベースにより購入の履歴管理および広告対象管理を行うことを特徴とする通信システム。
【請求項２】
前記購入者は前記購入情報を登録する購入情報データベースを複数の中から選択することができることを特徴とする請求項１記載の通信システム。
【請求項３】
購入者が購入時に購入情報を赤外線通信により携帯電話機で受け取るステップと、
該携帯電話機から前記購入情報を購入情報データベースに登録するステップと、
該購入情報データベースにより購入の履歴管理および広告対象管理を行うステップとを有することを特徴とする通信方法。
【請求項４】
前記購入者は前記購入情報を登録する購入情報データベースを複数の中から選択することができることを特徴とする請求項３記載の通信方法。
【請求項５】
携帯電話機に、購入者が購入時に購入情報を赤外線通信により受け取る処理と、前記購入情報を購入情報データベースに登録する処理とを実行させることを特徴とするプログラム。
【請求項６】
前記購入情報を登録する購入情報データベースを複数の中から選択することができることを特徴とする請求項５記載のプログラム。
【発明の詳細な説明】
【技術分野】
【０００１】
本発明は、購入情報(レシート)を集計する技術に関する。
【背景技術】
【０００２】
購入者は、複数の紙に記載された購入情報(レシート)を集計するために、家計簿などに転記するか、購入者のコンピュータに手入力して集計する必要があり、手間がかかるという問題があった。一方、販売者は、レシートによる紙資源の費用がかかっていた。
【０００３】
関連技術として、ＰＯＳシステムからのレシート情報をＴＥＸＴデータとして保存し、携帯電話機に転送し、該携帯電話機の電子メール機能でそのデータをＰＣに送信し、ＰＣで支出管理する技術が開示されている（例えば、特許文献１参照）。
【先行技術文献】
【特許文献】
【０００４】
【特許文献１】特開２００８−２４２６７５号公報
【発明の概要】
【発明が解決しようとする課題】
【０００５】
しかしながら、上記の関連技術では、購入者が携帯電話機で、購入情報を受け取る具体的な手段が開示されていない。また、購入者が、携帯電話機を用いて、購入情報を購入情報集積システム(以下、購入ＤＢシステムとする)へ登録する際、購入者は登録する購入ＤＢシステムを選択することができなく、個人管理または家族管理等をすることは困難であった。
【０００６】
本発明の目的は、購入者が携帯電話機で、手間なく購入情報を受け取ることができる通信システム、通信方法およびプログラムを提供することにある。
【課題を解決するための手段】
【０００７】
本発明の通信システムは、購入者が購入時に購入情報を赤外線通信により携帯電話機で受け取り、該携帯電話機から前記購入情報を購入情報データベースに登録し、該購入情報データベースにより購入の履歴管理および広告対象管理を行うことを特徴とする。
【０００８】
また、本発明の通信方法は、購入者が購入時に購入情報を赤外線通信により携帯電話機で受け取るステップと、
該携帯電話機から前記購入情報を購入情報データベースに登録するステップと、
該購入情報データベースにより購入の履歴管理および広告対象管理を行うステップとを有することを特徴とする。
【０００９】
また、本発明のプログラムは、携帯電話機に、購入者が購入時に購入情報を赤外線通信により受け取る処理と、前記購入情報を購入情報データベースに登録する処理とを実行させることを特徴とする。
【発明の効果】
【００１０】
本発明によれば、購入者が携帯電話機で、手間なく購入情報を受け取ることが可能となる。
【図面の簡単な説明】
【００１１】
【図１】本発明の実施の形態に係るシステム構成を示す図である。
【図２】本発明の実施の形態に係る携帯電話機２の機能ブロック図である。
【図３】本発明の実施の形態に係る処理動作を示すフローチャートである。
【発明を実施するための形態】
【００１２】
以下、本発明の実施の形態について図面を参照して詳細に説明する。図１に示す本実施の形態における通信システムは、複数の紙に記載された購入情報(レシート)を赤外線により携帯電話機に送信する店舗等に設置されるレジスタ１と、レジスタ１より出力された情報を赤外線で受信する機能を有する携帯電話機２と、携帯電話機２より送信された購入情報を記憶する購入ＤＢシステム３と、購入者が購入ＤＢシステム３を操作するためのＷｅｂインタフェース４と、購入者に情報を提供するためのＷｅｂインタフェース５とを含んで構成されている。
【００１３】
購入者が購入ＤＢシステム３を操作するためのＷｅｂインタフェース４は、検索機能を有し、自身の過去購入情報にアクセスすることが出来る。またＷｅｂページ上には、Ｗｅｂインタフェース５より登録された宣伝情報が表示される。
【００１４】
図２は携帯電話機２の機能ブロック図である。
携帯電話機２は、通信部２１と、制御部２２と、記憶部２３と、赤外線通信部２４とを備えている。通信部２１は、電話通信はもちろん外部とのデータのやりとりを行う機能を有している。制御部２２は、ＣＰＵによる制御を行う機能を有している。記憶部２３は、データを記憶する機能を有している。赤外線通信部２４は、レジスタ１と赤外線通信を行う機能を有している。
【００１５】
以下、図面を参照して本実施の形態の動作を説明する。
図３は本実施の形態の動作を説明するフローチャートである。
【００１６】
図３を参照すると、まず、商店などでの購入時に、販売者のレジスタ１から購入者の携帯電話機２へ購入商品の情報を赤外線で送信する（Ｓ３０１）。携帯電話機２の赤外線通信部２４はその情報を受け取る。
【００１７】
購入者の携帯電話機２から上記購入商品の情報を購入ＤＢシステム３へ登録する（Ｓ３０２）。なお、購入者は登録する購入ＤＢシステムを選択することができてよく、個人管理または家族管理等を行える。また、Ｗｅｂインタフェース４により自身の購入情報に購入ＤＢシステム３からアクセスし、過去情報や統計情報を採取することが可能となる。
【００１８】
製品(サービス)供給者は、特定の商品の宣伝内容をＷｅｂインタフェース５より登録する（Ｓ３０３）。購入ＤＢシステム３と連携することで、宣伝内容は、その商品の購買履歴があるまたは類似製品の購買履歴のあるユーザのＷｅｂページにのみ載せることが可能となる。
【００１９】
上記の本実施の形態によれば、紙資源の削減ができる。その理由は、電子レシートの利用により、紙レシートの出力が減るためである。
また、購入情報の集計が簡易にできる。その理由は、集計を行うコンピュータ（購入ＤＢシステム３）に購入情報が電子メール送信されるためである。
さらに、宣伝を効果的に行うことができる。その理由は、ユーザの購買履歴より購入の可能性があるユーザにのみ宣伝を行うためである。
【００２０】
なお、上述する各実施の形態は、本発明の好適な実施の形態であり、本発明の要旨を逸脱しない範囲内において種々変更実施が可能である。例えば、携帯電話機２の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【符号の説明】
【００２１】
１    レジスタ
２    携帯電話機
３    購入ＤＢシステム
４    Ｗｅｂインタフェース
５    Ｗｅｂインタフェース
【図１】
2011141820.tif 000003
【図２】
2011141820.tif 000004
【図３】
2011141820.tif 000005